(57)【要約】【課題】薄板のコンタクトに対応し位置精度を確保した圧入穴を有するコネクタを提供すること。【解決手段】  前記コンタクト２１の板厚方向において前記コンタクトに対向するインシュレータ１１の圧入穴１３の横壁部１５間で縦幅方向Ｂにおける縦幅寸法Ｗが縦壁部１７間の前記横幅方向Ａにおける横幅寸法Ｌよりも小さい寸法であり、前記圧入穴１３は横幅寸法Ｌ間で前記縦幅寸法Ｗがそれぞれ互いに異なっている。【選択図】図１
2005259649.tif 000002
【特許請求の範囲】
【請求項１】
インシュレータと、該インシュレータに保持した導電性のコンタクトとを含み、前記インシュレータは前記コンタクトを一軸方向の一方向へ圧入することによって保持する圧入穴を有し、前記コンタクトは前記圧入穴に保持される保持部を有するコネクタにおいて、
前記保持部は前記圧入穴の一対の縦壁部間に圧入することにより係止するよう前記コンタクトの板面に平行な横幅方向の側辺から外向きに突出している突起部を有し、前記コンタクトの板厚方向において前記コンタクトの板面のそれぞれに対向する前記圧入穴の横壁部間の縦幅方向における縦幅寸法が前記縦壁部間の前記横幅方向における横幅寸法よりも小さい寸法であり、前記圧入穴は前記横幅寸法間で前記縦幅寸法がそれぞれ互いに異なっていることを特徴とするコネクタ。
【請求項２】
インシュレータと、該インシュレータに保持した導電性のコンタクトとを含み、前記インシュレータは前記コンタクトを一軸方向の一方向へ圧入することによって保持する圧入穴を有し、前記コンタクトは前記圧入穴に保持される保持部を有するコネクタにおいて、
前記保持部は前記圧入穴の一対の縦壁部間に圧入することにより係止するよう前記コンタクトの板面に平行な横幅方向の側辺から外向きに突出している突起部を有し、前記コンタクトの板厚方向において前記コンタクトの板面のそれぞれに対向する前記圧入穴の横壁部間の縦幅方向における縦幅寸法が前記縦壁部間の前記横幅方向における横幅寸法よりも小さい寸法であり、前記圧入穴は前記一軸方向を直交する断面形状が複数の角穴の形状を呈しており、前記圧入穴が前記横幅方向Ａで前記縦幅方向に形成した中間壁部によって区分けされて連結されており、かつ前記角穴が前記横幅方向及び前記縦幅方向で千鳥格子状に配置されていることを特徴とするコネクタ。
【請求項３】
インシュレータと、該インシュレータに保持した導電性のコンタクトとを含み、前記インシュレータは前記コンタクトを一軸方向の一方向へ圧入することによって保持する圧入穴を有し、前記コンタクトは前記圧入穴に保持される保持部を有するコネクタにおいて、
前記保持部は前記圧入穴の一対の縦壁部間に圧入することにより係止するよう前記コンタクトの板面に平行な横幅方向の側辺から外向きに突出している突起部を有し、前記コンタクトの板厚方向において前記コンタクトの板面のそれぞれに対向する前記圧入穴の互いに平行な一対の横壁部間の縦幅方向における縦幅寸法は、前記縦壁部間の前記横幅方向における前記横壁部の横幅寸法よりも小さい寸法であり、前記縦壁部は、前記縦幅方向の中央部分から前記横幅方向へ突出するように傾斜していることを特徴とするコネクタ。
【発明の詳細な説明】
【技術分野】
【０００１】
本発明は、インシュレータに形成されている圧入穴にコンタクトを圧入することにより保持するコネクタに関するものである。
【背景技術】
【０００２】
先行技術１におけるコネクタとしては、図９に示すように、インシュレータ１１１と、インシュレータ１１１に保持した導電性のコンタクト１２１とを有している。
【０００３】
インシュレータ１１１には、コンタクト１２１を圧入することによって保持する圧入穴１１３が形成されている。
【０００４】
圧入穴１１３は、断面形状が矩形形状を呈している。図９において、Ｔは、コンタクト１２１の板厚方向にける板厚寸法であり、Ｙは、コンタクト１２１の板面に平行な方向にいけるコンタクト１２１の幅寸法であり、Ｌは、圧入穴１１３の横幅寸法であり、Ｗは、圧入穴１１３の縦幅寸法であり、Ｐは、複数の圧入穴１１３のピッチ間隔である。
【０００５】
また、先行技術２としてのコネクタは、インシュレータとこのインシュレータに形成されているその断面形状が台形に形成されているコンタクト保持溝にコンタクトを圧入する（特許文献１を参照）。
【０００６】
【特許文献１】特開平１０−４０９９１号公報
【発明の開示】
【発明が解決しようとする課題】
【０００７】
先行技術１におけるコネクタでは、圧入穴１１３の縦幅寸法Ｗを金型の強度が保てる最小寸法とすると、コンタクト１２１の板厚方向にける圧入穴１１３の縦幅寸法Ｗがコンタクト１２１の板厚寸法Ｔよりもかなり大きい寸法となっているので、コンタクト１２１が圧入穴１１３内で斜めになったりして圧入されるので、平行移動したりしてコンタクト１２１のピッチ間隔Ｐずれを起こし嵌合相手となる相手コンタクトとの信頼性のある接続を困難なものとなるという問題がある。
【０００８】
また、先行技術１及び２におけるコネクタでは、コンタクトの保持部は通常、金型によって成形するため、コネクタの多芯化、狭ピッチ化に伴い、コンタクトの板厚寸法が薄くなるほど、薄板のコンタクトに対応しようとすると、金型の強度が弱くなり、金型が破損してしまう恐れがある。
【０００９】
また、金型の強度を確保した場合には、コンタクト板厚に比べて圧入穴が大きくなり、コンタクトの圧入位置の精度が保てないという欠点がある。
【００１０】
それ故に、本発明は、薄板のコンタクトであっても金型の強度を確保でき、薄板形状のコンタクトにおいて圧入位置の精度を確保できるコネクタを提供することにある。
【００１１】
また、本発明は、複数のコンタクトの狭ピッチ化にも対応したコネクタを提供することにある。
【課題を解決するための手段】
【００１２】
本発明は、インシュレータと、該インシュレータに保持した導電性のコンタクトとを含み、前記インシュレータは前記コンタクトを一軸方向の一方向へ圧入することによって保持する圧入穴を有し、前記コンタクトは前記圧入穴に保持される保持部を有するコネクタにおいて、前記保持部は前記圧入穴の一対の縦壁部間に圧入することにより係止するよう前記コンタクトの板面に平行な横幅方向の側辺から外向きに突出している突起部を有し、前記コンタクトの板厚方向において前記コンタクトの板面のそれぞれに対向する前記圧入穴の横壁部間の縦幅方向における縦幅寸法が前記縦壁部間の前記横幅方向における横幅寸法よりも小さい寸法であり、前記圧入穴は前記横幅寸法間で前記縦幅寸法がそれぞれ互いに異なっていることを特徴とするコネクタであることを最も主要な特徴とする。
【発明の効果】
【００１３】
本発明のコネクタは、圧入穴が横幅寸法間で縦幅寸法がそれぞれ互いに異なっているので、コンタクトの平行移動による位置ずれが防止され、コンタクトが斜めに圧入されることを防ぐことが可能である。
【００１４】
また、インシュレータは、金型の強度を確保することができ、コンタクトの位置制度も確保した薄板形状のコンタクトに対応し、さらに狭ピッチ化に対応したコネクタとなる。
【発明を実施するための最良の形態】
【００１５】
本発明では、インシュレータと、該インシュレータに保持した導電性のコンタクトとを含み、前記インシュレータは前記コンタクトを一軸方向の一方向へ圧入することによって保持する圧入穴を有し、前記コンタクトは前記圧入穴に保持される保持部を有するコネクタにおいて、前記保持部は前記圧入穴の一対の縦壁部間に圧入することにより係止するよう前記コンタクトの板面に平行な横幅方向の側辺から外向きに突出している突起部を有し、前記コンタクトの板厚方向において前記コンタクトの板面のそれぞれに対向する前記圧入穴の横壁部間の縦幅方向における縦幅寸法が前記縦壁部間の前記横幅方向における横幅寸法よりも小さい寸法であり、前記圧入穴は前記横幅寸法間で前記縦幅寸法がそれぞれ互いに異なっていることを特徴とするコネクタにより実現した。
【実施例１】
【００１６】
図１は、本発明に係るコネクタの要部を示している。図２は、図１に示したコネクタを横方向に断面して示している。図３は、コネクタに用いるインシュレータの要部を示している。
【００１７】
図１乃至図３を参照して、コネクタは、インシュレータ１１と、インシュレータ１１に保持した導電性のコンタクト２１とを有している。
【００１８】
インシュレータ１１は、コンタクト２１を一軸方向Ｆ（図１を参照）の一方向へ圧入することによって所定間隔で保持する複数の圧入穴１３を有している。インシュレータ１１は、金型を用いて樹脂材を成形することによって製作されている。インシュレータ１１を製作する際には、圧入穴１３が同時に形成される。
【００１９】
コンタクト２１は、保持部２３と、保持部２３から一軸方向Ｆの一方側に延びている端子部２６と、一方側とは反対側のもう一方側へ保持部２３から一軸方向Ｆの他方へ延びている接触部２７とを有している。
【００２０】
さらに、コンタクト２１の保持部２３は、圧入穴１３の互いに平行な一対の縦壁部１７に圧入することにより係止するように、保持部２３の板面に平行な横幅方向Ａの側辺から外向きに突出している突起部２５を有している。
【００２１】
図１において、図示したＬは、圧入穴１３の横幅方向Ａにおける横幅寸法である。図１及び図２に図示したＹは、コンタクト２１の板面に平行な方向におけるコンタクト２１の板幅寸法である。図２において図示したＴは、コンタクト２１の板厚方向にける板厚寸法である。図３において図示したＷは、圧入穴１３の縦幅寸法であり、Ｐは、複数のコンタクト２１が所定位置に位置したときのピッチ間隔であり、Ｓは、コンタクト２１の板厚寸法Ｔにほぼ等しい隙間である。
【００２２】
コンタクト２１の板厚方向においてコンタクト２１の板面のそれぞれに対向する圧入穴１３の一対の横壁部１５間で縦幅方向Ｂにおける縦幅寸法Ｗは、縦壁部１７間の横幅方向Ａにおける横幅寸法Ｌよりも小さい寸法となっている。突起部２５を含む保持部２３の横幅方向Ａの寸法は、圧入穴１３の縦幅方向Ｂにおける一対の縦壁部１７間の縦幅寸法Ｗよりも大きい寸法である。圧入穴１３は、横幅寸法Ｌ間でコンタクト２１の板面に対向する縦幅方向Ｂにおける縦幅寸法Ｗがそれぞれ互いに異なっている。
【００２３】
コンタクト２１は、薄い導電板をプレス金型によって打ち抜くことによって製作する。また、図３に示したコンタクト２１の保持部２３が入り込む隙間Ｓは、コンタクト２１の板厚寸法Ｔよりも大きい寸法としてもよい。
【００２４】
圧入穴１３は、一軸方向Ｆを直交する断面形状がほぼ矩形である二つの角穴が横幅方向Ａで連結されている形状であり、圧入穴１３が横幅方向Ａの中央に位置している中間壁部１７ａによって区分けされて二つの角穴が形成され、二つの角穴が互いに中間壁部１７ａ間の隙間Ｓで連結されており、かつ千鳥格子状に配置されている。圧入穴１３には、縦壁部１７及び中間壁部１７ａが互いに縦幅方向Ｂに対して平行に形成されている。中間壁部１７ａは、一軸方向Ｆの一軸を含む。
【００２５】
換言すれば、圧入穴１３は、角穴形状部分の二つが階段状に形成されて連結されており、縦幅方向Ｂの中心にコンタクト２１の保持部２３が圧入されて保持されている。このような構成することによって、コンタクト２１の平行移動による位置ずれが防止される。また、コンタクト２１は、図２の紙面において時計方向に斜めになる可能性があるが、反時計方向に力を加えながら圧入することにより、斜めに挿入されることを防ぐことが可能である。
【実施例２】
【００２６】
図４は、実施例１によって説明したコネクタの変形例である。よって、以下の説明では、インシュレータ１１のみの形状を説明することで、コンタクト２１の説明を省略する。
【００２７】
図４において、図示したＬは、圧入穴１３の横幅方向Ａにおける横幅寸法であり、Ｗは、圧入穴１３の縦幅寸法であり、Ｐは、複数のコンタクト２１が所定位置に位置したときのピッチ間隔であり、Ｓは、コンタクト２１の板厚寸法Ｔにほぼ等しい隙間である。
【００２８】
図１及び図２によって説明したように、コンタクト２１の板厚方向においてコンタクト２１の板面のそれぞれに対向する圧入穴１３の横壁部１５間の縦幅方向Ｂにおける縦幅寸法Ｗは、縦壁部１７′間の横幅方向Ａにおける横幅寸法Ｌよりも小さい寸法となっている。コンタクト２１の突起部２５を含む保持部２３の横幅方向Ａの寸法は、圧入穴１３の縦幅方向Ｂにおける一対の縦壁部１７′間の縦幅寸法Ｗよりも大きい寸法である。
【００２９】
圧入穴１３は、横幅寸法Ｌ間でコンタクト２１の板面に対向する縦幅方向Ｂにおける縦幅寸法Ｗがそれぞれ互いに異なっている。
【００３０】
圧入穴１３は、一軸方向Ｆを直交する断面形状が二つの角穴によって横幅方向Ａで連結された形状である。圧入穴１３は、横幅方向Ａの中央に位置している中間壁部１７ａによって区分けされて二つの角穴が形成されている。二つの角穴は、縦幅方向Ｂに平行な中間壁部１７ａ間の隙間Ｓで連結されており、かつ千鳥格子状に配置されている。一対の縦壁部１７′は、一軸方向Ｆ（図１を参照）に対して傾斜しており、一対の縦壁部１７′が互いに平行に傾いている。
【００３１】
換言すれば、圧入穴１３は、角穴形状部分の二つが階段状に形成されて連結されており、縦幅方向Ｂの中心にコンタクト２１の保持部２３が圧入されて保持されている。このような構成することによって、コンタクト２１の平行移動による位置ずれが防止される。また、コンタクト２１は、図２の紙面において時計方向に斜めになる可能性があるが、反時計方向に力を加えながら圧入することにより、斜めに挿入されることを防ぐことが可能である。
【実施例３】
【００３２】
図５に示したコネクタは、図１乃至図３に示したコネクタを利用した応用例としてのコネクタの実施例２を示している。よって、図１乃至図３によって説明したコネクタと同じ部分に同じ符号を付して説明する。
【００３３】
図５を参照して、圧入穴１３は、一軸方向Ｆ（図１を参照）を直交する断面形状がほぼ矩形である二つの角穴が横幅方向Ａ及び縦幅方向Ｂで互いに連結されている形状であり、圧入穴１３が中間壁部１７ａによって区分けされて図３に示した隙間Ｓによって連結されており、かつ縦幅方向Ｂで隣接する圧入穴１３のそれぞれが千鳥格子状に連結されて配置されている。
【００３４】
図５において図示したＷは、圧入穴１３の縦幅寸法であり、Ｒは、複数のコンタクト２１が所定位置に位置したときのピッチ間隔であり、Ｌは、圧入穴１３の横幅寸法であり、Ｓは、コンタクト２１の板厚寸法Ｔにほぼ等しい間隔である。なお、または、図３に示したコンタクト２１の保持部２３が入り込む隙間Ｓは、コンタクト２１の板厚寸法Ｔよりも大きい寸法としてもよい。
【００３５】
圧入穴１３には、縦壁部１７及び複数の中間壁部１７ａ、１７ｃが互いに縦幅方向Ｂに対して平行に形成されている。中間壁部１７ｃは、１７ａよりも縦幅方向Ｂにおける寸法が小さい寸法となっている。すなわち、圧入穴１３を上下方にオーバーラップさせることで、コンタクト２１を狭ピッチ間隔Ｒで圧入することが可能である。
【００３６】
換言すれば、圧入穴１３は、横幅方向Ａの角穴形状部分の二つが階段状にかつ縦幅方向Ｂで互いに連結されており、図３の紙面において左側の角穴形状部分に一方にコンタクト２１の保持部２３が圧入され、右側の角穴形状部分に二つのコンタクト２１の保持部２３が保持されている。
【００３７】
このような構成することによって、コンタクト２１の平行移動による位置ずれが防止される。また、コンタクト２１は、図２の紙面において時計方向に斜めになる可能性があるが、反時計方向に力を加えながら圧入することにより、斜めに挿入されることを防ぐことが可能である。
【実施例４】
【００３８】
図６及び図７は、コネクタの実施例３を示している。図６及び図７を参照して、コネクタは、インシュレータ３１と、インシュレータ３１に保持した導電性のコンタクトとを有している。なお、コンタクトは、図１によって説明したコンタクト２１と同じものを採用して説明することにする。
【００３９】
インシュレータ３１は、コンタクト２１を一軸方向Ｆ（図１を参照）の一方向へ圧入することによって所定間隔で保持する複数の圧入穴３３を有している。
【００４０】
インシュレータ３１は、金型を用いて樹脂材を成形することによって製作されている。インシュレータ３１を製作する際には、複数の圧入穴３３が同時に形成される。
【００４１】
コンタクト２１の板厚方向においてコンタクト２１の板面のそれぞれに対向する圧入穴３３の互いに平行な一対の横壁部３５ａ，３５ｂ間の縦幅方向Ｂにおける縦幅寸法Ｗは、一対の縦壁部３７間の横幅方向Ａにおける下底側の横壁部３５ａの横幅寸法Ｌよりも小さい寸法となっている。上底側の横壁部３５ｂは、横幅方向Ａの寸法Ｘが下底側の横壁部３５ａの寸法Ｌよりも小さい寸法となっている。
【００４２】
したがって、一対の縦壁部３７は傾斜面であり、一対の縦壁部３７によってテーパ形状に傾斜している形状となっていることから一軸方向Ｆを直交する断面形状が台形を呈している。
【００４３】
なお、図６に図示したＹは、コンタクト２１の板面に平行な方向の幅寸法であり、Ｔは、コンタクト２１の板厚方向にける板厚寸法である。図７において図示したＰは、コンタクト２１が所定位置に位置したときのピッチ間隔である。
【００４４】
このような構成することによって、コンタクト２１の傾きを防ぐことができ、下底側の横壁部３５ａにコンタクト２１を追いやることができ、さらにコンタクト２１の平行移動による位置ずれが防止される。また、コンタクト２１は、図５の紙面において時計方向に斜めになる可能性があるが、反時計方向に力を加えながら圧入することにより、斜めに挿入されることを防ぐことが可能である。
【実施例５】
【００４５】
図８は、コネクタの実施例５を示している。図６及び図７の実施例４によって説明したコネクタの変形例を示している。よって、図６及び図７と同じ部分には、同じ符号を付して説明の一部を省略する。
【００４６】
図８を参照して、インシュレータ３１は、コンタクト２１を一軸方向Ｆ（図１を参照）の一方向へ圧入することによって所定間隔で保持する複数の圧入穴４３を有している。
【００４７】
インシュレータ３１は、金型を用いて樹脂材を成形することによって製作されている。インシュレータ３１を製作する際には、複数の圧入穴４３が同時に形成される。
【００４８】
コンタクト２１の板厚方向においてコンタクト２１の板面のそれぞれに対向する圧入穴４３の互いに平行な一対の横壁部４５ａ，４５ｂ間の縦幅方向Ｂにおける縦幅寸法Ｗは、一対の縦壁部３７間の横幅方向Ａにおける一対の横壁部３５ａの横幅寸法Ｌよりも小さい寸法となっている。
【００４９】
一対の縦壁部３７は、縦幅方向Ｂの中央部分から横幅方向Ａへ突出するように傾斜しており、一対の縦壁部４７によってテーパ形状に傾斜している「く」の字及び逆「く」の字形状となっているので圧入穴４３が壷型形状されている。なお、図７に図示したＲは、圧入穴４７にコンタクト２１が所定位置に位置したときのピッチ間隔である。
【００５０】
このコネクタは、圧入穴４３のピッチ間隔を狭ピッチ化したものであり、一つの圧入穴４３に二つのコンタクト２１を圧入できる。一つの圧入穴４３内の、二つのコンタクト２１は、一対の横壁部３５ａに沿って位置される。
【００５１】
このような構成することによって、コンタクト２１の傾きを防ぐことができ、下底側の横壁部４５ａにコンタクト２１を追いやることができ、コンタクト２１の平行移動による位置ずれが防止される。また、コンタクト２１は、図８の紙面において時計方向に斜めになる可能性があるが、反時計方向に力を加えながら圧入することにより、斜めに挿入されることを防ぐことが可能である。
【産業上の利用可能性】
【００５２】
本発明は、接触部を相手コネクタの相手コンタクトに接触させるとともに、コンタクトの端子部をプリント配線基板の導電部に半田接続するコネクタとしての用途に適用できる。
【図面の簡単な説明】
【００５３】
【図１】本発明に係るコネクタの要部を断面して示した縦断面図である（実施例１）。
【図２】図１に示したコネクタをＩＩ−ＩＩ線で断面して示した横断面図である。
【図３】図２に示したコネクタにおけるインシュレータの横断面図である。
【図４】本発明に係るコネクタの要部を断面して示した横断面図である（実施例２）。
【図５】本発明に係るコネクタの要部を断面して示した横断面図である（実施例３）。
【図６】本発明に係るコネクタの要部を断面して示した横断面図である（実施例４）。
【図７】図６に示したコネクタにおけるインシュレータの横断面図である。
【図８】本発明に係るコネクタの要部を断面して示した横断面図である（実施例５）。
【図９】先行技術におけるコネクタを示す横断面図である。
【符号の説明】
【００５４】
１１，３１，１１１    インシュレータ
１３，３３，４３、１１３    圧入穴
１５，３５ａ，３５ｂ，４５ａ，４５ｂ    横壁部
１７、１７′，３７    縦壁部
１７ａ，１７ｃ    中間壁部
２１，１２１    コンタクト
２３    保持部
２５    突起部
２６    端子部
Ａ    横幅方向
Ｂ    縦幅方向
Ｆ    一軸方向
Ｌ    横幅寸法
Ｐ    ピッチ間隔
Ｓ    隙間
Ｔ    板厚寸法
Ｗ    縦幅寸法
【図１】
2005259649.tif 000003
【図２】
2005259649.tif 000004
【図３】
2005259649.tif 000005
【図４】
2005259649.tif 000006
【図５】
2005259649.tif 000007
【図６】
2005259649.tif 000008
【図７】
2005259649.tif 000009
【図８】
2005259649.tif 000010
【図９】
2005259649.tif 000011